(57)【特許請求の範囲】
【請求項１】
同種の硬貨を２枚以上重ねて通過させることのできる貫通した中空部を１以上又は１種以上有すると共に、該中空部内の硬貨を外部から力を加えて押すためのケース窓を有するカード状のケース部材と、
前記中空部内に収納された硬貨が、該中空部の硬貨入口から落脱しないようにする落脱防止手段と、
前記中空部の硬貨取出口へ、重ねられた硬貨を分離させて１枚ずつ通過させるとともに、前記中空部内面のケース表面側及びケース裏面側に所要の間隔をおいて設けられた複数の突起により構成される取出ストッパーとを備え、
前記所定の間隔は前記硬貨の半径にほぼ等しいことを特徴とするカード型硬貨入れ。
【請求項２】
前記取出ストッパーの高さは前記硬貨の高さ未満であることを特徴とする請求項１に記載するカード型硬貨入れ。
【請求項３】
前記落脱防止手段が、前記中空部内面に設けられた、ケース内部方向へのみ硬貨を通過させる落脱ストッパーであることを特徴とする請求項１又は２に記載するカード型硬貨入れ。
【発明の詳細な説明】
【０００１】
【発明の属する技術分野】
本発明は、小銭を入れるための硬貨入れに関し、より詳しくは、カード型の硬貨入れに関する。
【０００２】
【発明が解決しようとする課題】
従来より、革等で作られた袋状の硬貨入れがよく用いられている。このような硬貨入れには硬貨出入用に開閉自在のファスナー等が設けられており、硬貨収納時にはファスナーを開いて硬貨を収納し、硬貨を袋内にまとめて収納している。そして、硬貨取り出し時には、ファスナーを開いて目的の硬貨を袋内から選別して取り出している。しかしながら、袋内に硬貨をごっちゃ混ぜにして収納しているため、必要な硬貨を取り出しにくいという問題や、硬貨が重なって硬貨入れが膨らんで嵩張るという問題がある。
【０００３】
その解決策として、例えば、図１５及び図１６や図１７に示すような、硬貨２０を整列させて収納するカード型の硬貨入れが提案されている。図１５及び図１６の硬貨入れでは、硬貨２０が重ならないように平面的に横一列に並べて収納しており、図１７の硬貨入れでは、硬貨２０を横一列に斜めに重ねながら収納している。そして、いずれの硬貨入れも、硬貨２０を入れる硬貨入口６から硬貨２０を取り出すように構成されている。
【０００４】
しかしながら、図１５及び図１６の硬貨入れは、硬貨２０が重ならないように横一列に並べて収納しているため、硬貨入れは薄くできるのであるが、その分、収納硬貨枚数は少なくなってしまう。また、図１７の硬貨入れは、硬貨２０を横一列に斜めに重ねて収納しているため、収納硬貨枚数は多くなるのであるが、その分、硬貨入れは分厚くなってしまう。
【０００５】
更に、収納していた硬貨２０を硬貨入口６から取り出す必要がある一方、硬貨入口６から硬貨２０が転げ落ちないようにするため、通常は、硬貨入口部分には蓋等が取り付けられる。ところが、硬貨２０を取り出すために蓋を開けて硬貨入れを傾けると、一度に多量の硬貨２０が出てしまい、一枚ずつ硬貨２０を取り出すことは困難であった。
【０００６】
そこで、本発明者は、このような課題を解決するべく、鋭意研究を重ねた結果、本発明に至ったのである。ところで、本発明者は本願出願前に先行技術調査を行ったところ、実開昭５８−３９１２１，実開昭６３−１５２４１７，実開昭６０−１９３１２０などを見出した。しかしながら、これらはいずれも上述と同様の課題を有するものであった。
【０００７】
【課題を解決するための手段】
本発明のカード型硬貨入れの要旨とするところは、同種の硬貨を２枚以上重ねて通過させることのできる貫通した中空部を１以上又は１種以上有すると共に、該中空部内の硬貨を外部から力を加えて押すためのケース窓を有するカード状のケース部材と、前記中空部内に収納された硬貨が、該中空部の硬貨入口から落脱しないようにする落脱防止手段と、前記中空部の硬貨取出口へ、重ねられた硬貨を分離させて１枚ずつ通過させるとともに、前記中空部内面のケース表面側及びケース裏面側に所要の間隔をおいて設けられた複数の突起により構成される取出ストッパーとを備え、前記所定の間隔は前記硬貨の半径にほぼ等しいことにある。
【０００８】
このような中空部を備えたカード型硬貨入れを用いることにより、中空部内に２枚以上の硬貨を重ねて収納することができる。これにより、厚さを薄くしたまま、収納硬貨枚数を増やすことができる。また、取出ストッパーを備えているため、硬貨取出口より必要な時だけ硬貨を１枚ずつ取り出すことができる。更に、落脱防止手段を備えているため、硬貨入口から硬貨が落ちることを防止することができる。
【０００９】
また、上記取出ストッパーの複数の突起が中空部内面のケース表面側及びケース裏面側に、硬貨の半径にほぼ等しい間隔で設けられる。このような構成により、上記間隔を硬貨の半径より大幅に小さくした場合に硬貨が取り出しにくくなること、及び、上記間隔を硬貨の半径より大幅に大きくした場合に硬貨がケース部材から落脱し易くなることを回避することが可能となる。
【００１０】
また、本発明のカード型硬貨入れの要旨とするところは、前記取出ストッパーの高さは前記硬貨の高さ未満であることにある。
【００１１】
また、本発明のカード型硬貨入れの要旨とするところは、前記落脱防止手段が、前記中空部内面に設けられた、ケース内部方向へのみ硬貨を通過させる落脱ストッパーであることにある。このような落脱ストッパー（落脱防止手段）を設けることにより、硬貨入口近傍において、硬貨はケース内部方向へのみ通過し、ケース内部からケース外部へ硬貨が通過することはない。これにより、硬貨入口からの硬貨の落脱を防止することができる。
【００１２】
【発明の実施の形態】
次に、本発明に係るカード型硬貨入れの実施の形態について、図面に基づいて詳しく説明する。
【００１３】
図１乃至図４は本発明に係るカード型硬貨入れ１０であり、同種の硬貨２０を２枚以上重ねて通過させることのできる貫通した中空部１２を１以上又は１種以上有すると共に、該中空部１２内の硬貨２０を外部から力を加えて押すためのケース窓１４を有するカード状のケース部材２６と、該中空部１２内に収納された硬貨２０が、該中空部１２の硬貨入口１６から落脱しないようにする落脱防止手段（脱落ストッパー）２２と、該中空部１２の硬貨取出口１８へ、重ねられた硬貨２０を分離させて１枚ずつ通過させる分離手段（取出ストッパー）２４とから構成されている。
【００１４】
硬貨入れ１０のケース部材２６はカード型形状をしており、ケース部材２６の長手方向と平行に２つの貫通した中空部１２が設けられている。そして、中空部１２の断面形状は、図３に示すように、重ねた２枚の硬貨２０断面より若干大きい略長方形状に形成されている。また、ケース表裏面には、中空部１２の長手方向の中心軸を中心に、中空部１２まで貫通されたケース窓１４が設けられている。このケース窓１４の形状は、略長方形状に形成されている。なお、１つの中空部１２には、５枚の硬貨を並べて収納することができるため、１つの中空部１２には合計１０枚（２枚×５列）の硬貨を収納することができる。そのため、硬貨入れ１０には２つの中空部１２があるので、合計２０枚の硬貨２０を収納することができる。
【００１５】
また、中空部１２内の硬貨入口１６近傍においては、ケース内部方向へのみ硬貨２０を通過させる落脱ストッパー２２（落脱防止手段）が設けられている。なお、本実施例では、落脱ストッパー２２として、中空部１２内面の一方のケース平面側に三角形状（直角三角形状）の突起が設けられている。そして、図４に示すように、入口１６側の中空部１２内面とこれに隣接した落脱ストッパー２２表面とは滑らかに連続しているが、取出口１８側の中空部１２内面とこれに隣接した落脱ストッパー２２表面とは略直角に形成されている。また、落脱ストッパー２２の高さは、硬貨２０の厚さよりも若干高く形成されている。更に、中空部１２の硬貨入口１６近傍のケース側面側は、硬貨２０を入れ易いようにハの字型に形成されている。
【００１６】
また、中空部１２内の硬貨取出口１８近傍においては、２枚に重ねられた硬貨２０を１枚ずつ分離して取り出すための取出ストッパー２４（分離手段）が設けられている。なお、本実施例では、取出ストッパー（分離手段）として、図４に示すように、中空部１２内面のケース両平面側に１つずつ所定の間隔Ｓをおいて半球状の突起が設けられている。この間隔Ｓは、硬貨２０の半径よりも若干広く設定されており、取出ストッパー２４の高さは、硬貨２０の高さよりも若干低く形成されている。
【００１７】
ここで、ケース部材２６の材質はプラスチック等の樹脂を用いるなど、任意の材質のものを用いることができる。また、落脱ストッパー２２や取出ストッパー２４の材質もプラスチック等の樹脂を用いるなど、任意の材質のものを用いることができる。また、これらケース部材２６と落脱ストッパー２２及び取出ストッパー２４は、一体的に成形したり接着材等で取り付ける等、任意の方法で備え付けることができる。
【００１８】
次に、このようなカード型硬貨入れ１０を用いて硬貨の出し入れを行う場合について、その作用を説明する。
【００１９】
まず、硬貨入口１６より硬貨２０を中空部１２内に入れるのであるが、このときは、図２に示すように、入口１６付近がハの字型に開いており、図４に示すように、中空部１２の内面と落脱ストッパー２２の入口側表面とが滑らかに連続しているため、容易に硬貨２０を入れることができる。しかし、中空部１２の内面と落脱ストッパー２２のケース奥側表面とが略垂直に形成されているため、一旦、硬貨２０を中空部１２内に入れると、硬貨２０が入口１６から落脱することはない。
【００２０】
そして、必要な場合に硬貨２０を取り出すのであるが、硬貨取出口１８側では、図４に示すように、取出ストッパー２４が所要の間隔Ｓをおいて設けられている。そのため、図５に示すように、硬貨２０をスライドさせて硬貨２０間に寸法Ｓの隙間を生じさせることができる。そして、ケース窓１４からこの隙間に指２８を当てて硬貨２０を押すことにより、図６に示すように、１枚ずつ硬貨２０を取り出すことができる。なお、図７に示すように、図５及び図６とは反対側のケース窓１４から硬貨２０を押すことによっても、先程と同様に硬貨２０を１枚ずつ取り出すこともできる。
【００２１】
このように、本発明のカード型硬貨入れ１０を用いると、取出ストッパー２４の働きにより、必要な場合のみ、１枚ずつ任意に硬貨２０を取り出すことができる。しかも、図５の状態においては、指２８で力を加えて硬貨２０を押さない限り、取出ストッパー２４に妨げられて硬貨２０が外に出ることはない。そのため、落脱ストッパー２２と取出ストッパー２４の働きにより、硬貨入れ１０内の硬貨２０が予期せずに落脱することはない。更に、本実施例の場合は、２枚の硬貨を重ねて収納できるため、硬貨入れの厚さを薄くしたまま、収納硬貨枚数を従来の２倍に増やすことができる。
【００２２】
以上、本発明の一実施例について説明したが、本発明に係るカード型硬貨入れはその他の態様でも実施し得るものである。例えば、中空部の数は２つに限定されることはなく、任意数の中空部を設けることができる。また、中空部内に並べられる硬貨枚数は５枚に限定されることはなく、中空部の長軸方向の長さを所要の長さにして任意数の硬貨を並べて収納することができる。また、中空部内で重ねられる硬貨枚数は２枚に限定されることはなく、中空部の高さを所要の高さにして任意数の硬貨を重ねて収納することができる。
【００２３】
また、本発明のカード型硬貨入れに収納させる硬貨は、任意の硬貨を収納させることができ、更に、中空部の短軸方向の長さを各々異なる長さにして、中空部ごとに異なる種類の硬貨を収納することもできる。そのため、例えば、１０円玉用，５０円玉用，１００円玉用，５００円玉用の４つの中空部を設けて、各中空部に１０円玉，５０円玉，１００円玉，５００円玉を種類別に分けて収納することもできる。また、ケース窓の形状も任意形状にすることができ、ケース窓を一方のケース側面のみに設けることもできる。
【００２４】
また、落脱ストッパーは三角形状に限定されることはなく、図８に示すようなＶ字型の突起（弾性体）３４や、図９に示すような１／４球状の突起３６、あるいは図４に示した取出ストッパー２４と同様の半球状の突起などを用いる等、任意のものを用いることができる。すなわち、硬貨入口から中空部内の硬貨が脱落するのを防止できるものならば、任意のものを用いることができる。また、落脱ストッパーを設ける位置も、図１０に示すように側面側に設ける等、所要の位置に設けることができる。
【００２５】
また、取出ストッパーは半球形状に限定されることはなく、図８に示すようなＶ字型の突起（弾性体）３４や、図９に示すような１／４球状の突起３６などを用いる等、任意のものを用いることができる。すなわち、中空部内部から取出口へ、硬貨を１枚ずつ通過させるものならば、任意のものを用いることができる。また、図１１に示すように、取出ストッパーを設ける位置も所要の位置に設けることができ、更に、取出ストッパー間の間隔Ｓも所要の間隔とすることができる。
【００２６】
ただし、取出ストッパーの間隔Ｓを、図１２（ｂ）に示すように硬貨２０半径より大幅に狭くした場合は、取出口１８から硬貨２０が落ちにくくなるのであるが、硬貨２０が取り出しにくくなってしまう。また、これとは逆に、間隔Ｓを図１２（ｃ）に示すように硬貨２０半径より大幅に広くすると、硬貨２０を取り出し易くなるのであるが、取出口１８から硬貨２０が落ち易くなってしまう。そのため、取出ストッパー２４の間隔Ｓは、図１２（ａ）に示すように、硬貨２０の半径より若干広くあるいは若干狭くすることが好ましい。
【００２７】
以上、本発明に係るカード型硬貨入れの実施例について、図面に基づいて種々説明したが、本発明は図示したカード型硬貨入れに限定されるものではない。例えば、図１３に示すように、ケース部材２６を革や布等のカバー４２で覆うこともできる。このような硬貨入れ４０では、落脱ストッパー（落脱防止手段）を備える代わりに、硬貨入口１６を塞ぐ蓋４４を備え付けている。そして、このような蓋４４を設けているので、硬貨２０を収納する場合は、蓋４４を開いて硬貨２０を中に収納することになる。
【００２８】
また、硬貨取出口１８はカバー４２で覆われ、取出口正面部には切り込み４６が入れられている。このような切り込み４６を入れられたカバー４２は、通常は取出口１８を塞ぐ役目をするが、力を加えて硬貨２０を押すと、硬貨２０は切り込み４６を通り抜けて外に出ることになる。これにより、取出口１８からの硬貨２０の万一の落下を防止することができる。なお、図１３においては、蓋４４と取出口１８の切り込み４６入りカバー４２を同時に備え付けたが、蓋だけを備え付けたり、切り込み入りカバーだけを備え付ける等、両者を個別に備え付けることもできる。
【００２９】
また、図１４に示すように、取出口１８先端に取出口カバー３８を設けることもできる。この取出口カバー３８は、取出口１８先端部に硬貨２０の厚さよりも若干狭い隙間を形成しており、上述した切り込み４６入りカバー４２と同様に、不用意な硬貨２０の落下を防止することができる。その他、本発明はその趣旨を逸脱しない範囲で当業者の知識に基づき種々なる改良，修正，変形を加えた態様で実施できるものである。
【００３０】
【発明の効果】
本発明のカード型硬貨入れによれば、中空部内に２枚以上の硬貨を重ねて収納することができる。これにより、硬貨入れの厚さを薄くしたまま、収納硬貨枚数を増加させることができる。そして、落脱防止手段を中空部の硬貨入口近傍に備えているため、硬貨入口からの硬貨の落脱を防止できる。また、分割手段を中空部の硬貨取出口近傍に備えているため、硬貨を１枚ずつ取り出すことができる。
【図面の簡単な説明】
【図１】  本発明に係るカード型硬貨入れの一実施例を示す平面図である。
【図２】  図１に示すカード型硬貨入れの平面側から見た断面図である。
【図３】  図１に示すカード型硬貨入れのＹ−Ｙ線切断断面図である。
【図４】  図１に示すカード型硬貨入れのＸ−Ｘ線切断断面図である。
【図５】  図１に示すカード型硬貨入れのＸ−Ｘ線切断断面図である。
【図６】  図１に示すカード型硬貨入れのＸ−Ｘ線切断断面図である。
【図７】  図１に示すカード型硬貨入れのＸ−Ｘ線切断断面図である。
【図８】  本発明に係るカード型硬貨入れの他の実施例を示す側面側から見た要部拡大断面図である。
【図９】  本発明に係るカード型硬貨入れの更に他の実施例を示す側面側から見た要部拡大断面図である。
【図１０】  本発明に係るカード型硬貨入れの更に他の実施例を示す平面側から見た断面図である。
【図１１】  本発明に係るカード型硬貨入れの更に他の実施例を示す図であり、同図（ａ）は要部拡大平面図であり、同図（ｂ）は硬貨取出口側から見た側面図である。
【図１２】  本発明に係るカード型硬貨入れの更に他の実施例を示す側面側から見た要部拡大断面図である。
【図１３】  本発明に係るカード型硬貨入れの更に他の実施例を示す側面側から見た断面図である。
【図１４】  本発明に係るカード型硬貨入れの更に他の実施例を示す側面側から見た要部拡大断面図である。
【図１５】  従来のカード型硬貨入れの一例を示す平面図である。
【図１６】  図１５に示すカード型硬貨入れのＸ’−Ｘ’線切断断面図である。
【図１７】  従来のカード型硬貨入れの他の例を示す側面側から見た断面図である。
【符号の説明】
２，１４：ケース窓
４，２６：ケース部材
６，１８：硬貨取出口
１０，４０：カード型硬貨入れ
１２：中空部
１６：硬貨入口
２０：硬貨
２２，３２：落脱ストッパー（落脱防止手段）
２４，２５：取出ストッパー（分離手段）
２８：指
３４，３６：取出ストッパー又は落脱ストッパー
３８：取出口カバー
４２：カバー
４４：蓋
４６：切り込み
【図１】
0003997445.tif 000002
【図２】
0003997445.tif 000003
【図３】
0003997445.tif 000004
【図４】
0003997445.tif 000005
【図５】
0003997445.tif 000006
【図６】
0003997445.tif 000007
【図７】
0003997445.tif 000008
【図８】
0003997445.tif 000009
【図９】
0003997445.tif 000010
【図１０】
0003997445.tif 000011
【図１１】
0003997445.tif 000012
【図１２】
0003997445.tif 000013
【図１３】
0003997445.tif 000014
【図１４】
0003997445.tif 000015
【図１５】
0003997445.tif 000016
【図１６】
0003997445.tif 000017
【図１７】
0003997445.tif 000018